(57)【要約】【課題】業務用としてカードタイマー機能をそなえた酸素富化膜を用いた酸素濃縮器において、自動運転の乾燥モードを設け配管内を乾燥させ衛生的にする。【解決手段】図１の酸素富化膜１より真空ポンプ３につながるパイプの途中に電磁弁２を  設置し、コントローラ１１によってカードタイマーがOFFとなったとき2分間真空ポンプを再起動しさらに、電磁弁を開くことで外気を真空ポンプに導入し真空ポンプの熱を  利用しポンプ内部の乾燥を実行する。【選択図】  図１
0003111440.tif 000002
【実用新案登録請求の範囲】
【請求項１】
リニア真空ポンプ（シリンダー部がポンプ筐体内に設置された構造のポンプに限る。）とカードタイマーを組み合わせた酸素濃縮器においてファンにより筐体内に吸引された空気から、酸素富化膜ユニットを用いて酸素富化空気を抽出すし、抽出した空気に含まれる水分を運転終了後コントロール回路と電磁弁を用い、外気を導入することで乾燥させるように構成したことを特徴とする酸素富化膜濃縮器。
【請求項２】
４L毎分といった大流量で酸素富化空気を水中に導入して過飽和酸素水を短時間で作るようにし、の大流量を活用し、その際パイプ中間に逆止弁を装着し真空ポンプへの水の逆流を防止する、請求項１記載酸素富化膜濃縮器。
【考案の詳細な説明】
【技術分野】
【０００１】
本発明は酸素富化膜濃縮器に関するものであり、特に、酸素富化膜ユニットによって抽出された空気中の水分乾燥及び、カードタイマーとの連動による自動乾燥モードに関するものである。
【背景技術】
【０００２】
従来の此種酸素富化膜濃縮器は高真空を実現するため、ダイヤフラム真空ポンプを使っている。
抽出空気の水分除去は水分の吸湿材、水のボトルを通す、噴出しパイプの途中に小型の水タンクをつける、外気挿入用のファンを用いる。等が実施されている。
【０００３】
今回リニアモーターを使ったピストンタイプ真空ポンプを使用することで乾燥のための付属部品を簡素化し、カードタイマーと連動させるため、電子コントローラを開発した。
【特許文献１】特開２００２−１１９５９４号公報
【考案の開示】
【考案が解決しようとする課題】
【０００４】
解決しようとする問題点は運転終了後、抽出空気の水分が真空ポンプ内に結露し、錆びの原因となることを防ぐ目的である。
運転状態中は真空ポンプが高温となり水滴はつきにくい、又発生している水分も水のボトルを通すことで大方除去される。
業務用を目的としており、長時間の連続運転、お風呂などの高湿度環境での使用も考え
さらに大容量の装置では従来の水分除去法では十分な対策が出来ない。
【課題を解決するための手段】
【０００５】
本考案は図１の酸素富化膜１より真空ポンプ３につながるパイプの途中に電磁弁２を設置し、コントローラ１１によってカードタイマーがOFFとなったとき2分間真空ポンプを再起動しさらに、電磁弁を開くことで外気を真空ポンプに導入し真空ポンプの熱を利用しポンプ内部の乾燥を実行する。
カードタイマーがOFFでの運転再起動は前例がなく、制御用コントローラの独自開発が
必要であった。
【考案の効果】
【０００６】
レンタル用の酸素濃縮器として、業界最小を実現し、筐体設計も真空ポンプを装置の最深部に設置しさらに筐体の重量を重くしたことで、静音、低振動が実現できた。
電磁弁とコントローラ、コントローラ用DC電源の追加により今後表示用LEDの追加等でも設計の柔軟性がアップできた。
【考案を実施するための最良の形態】
【０００７】
図２のカードタイマーにカードを入れると装置の電源がONになる。
図１のAより外気を取り込む。酸素富化膜１を通過した空気は膜の特性により酸素濃度が減少したくうきである。真空ポンプ設置空間Bを通過時ポンプの冷却を行う。
ファンモータ４を通過後マイナスイオン発生器５を通過し出口１４より排出される。
カードタイマーがOFFになると真空ポンプ３とファンモータ４が止まる。
その後電子コントローラがタイマーOFFを感知し電磁弁２をONとし、外気を導入、真空ポンプとファンモータを再起動する。２分動作後全ての電源をOFFとする。
酸素富化膜１より抽出した空気はリニア真空ポンプ３を通り水のボトル６に空気が送られる。
【産業上の利用可能性】
【０００８】
業務ようとして、美理容店、ホテル、マッサージ業界等での幅広い活用。
この乾燥工程の実現により、さらに大流量の装置開発が簡便に行える。
この装置の大流量４L毎分を利用し、過飽和酸素水を短時間で作ることができる。
この乾燥方法はさらに大きな室外機型２０L毎分以上の酸素濃縮器にも活用できる。
その場合30分に1回ないしは60分に一度の乾燥運転が必要となる。
【図面の簡単な説明】
【０００９】
【図１】酸素濃縮器の横断面図。
【図２】酸素濃縮器の正面図。
【図３】過飽和酸素水発生ノズルの図
【符号の説明】
【００１０】
１酸素富化膜ユニット
２プランジャー
３リニア真空ポンプ
４ファンモータ
５マイナスイオン発生器
６水ボトル
７L字チューブ
８水ボトル挿入口
９タイマー
１０電源SW
１１コントローラ
１２筐体
１３カードタイマー
１４マイナスイオン吹き出し口
１５過飽和酸素水発生ノズル
１６逆止弁
【図１】
0003111440.tif 000003
【図２】
0003111440.tif 000004
【図３】
0003111440.tif 000005
【手続補正書】
【提出日】平成17年3月31日(2005.3.31)
【手続補正１】
【補正対象書類名】実用新案登録請求の範囲
【補正対象項目名】全文
【補正方法】変更
【補正の内容】
【実用新案登録請求の範囲】
【請求項１】
シリンダーがポンプ筐体内に設置されたリニア真空ポンプとカードタイマーを組み合わせた酸素濃縮器においてファンにより筐体内に吸引された空気から、酸素富化膜ユニットを用いて酸素富化空気を抽出し、抽出した空気に含まれる水分を運転終了後コントロール回路と電磁弁を用い、外気を真空ポンプ内に導入することで真空ポンプ内部を乾燥させるように構成したことを特徴とする酸素富化膜を用いた酸素濃縮器。
【請求項２】
４L毎分といった大流量で酸素富化空気を水中に導入して過飽和酸素水を短時間で作るようにする、その際パイプ中間に逆止弁を装着し真空ポンプへの水の逆流を防止する、請求項１記載の酸素富化膜を用いた酸素濃縮器。
【手続補正２】
【補正対象書類名】明細書
【補正対象項目名】全文
【補正方法】変更
【補正の内容】
【考案の詳細な説明】
【技術分野】
【０００１】
本発明は酸素富化膜を用いた酸素濃縮器に関するものであり、特に、酸素富化膜ユニットによって抽出された空気中の水分乾燥及び、カードタイマーとの連動による自動乾燥モードに関するものである。
【背景技術】
【０００２】
従来、此の種の酸素富化膜を用いた酸素濃縮器は高真空を実現するため、ダイヤフラム真空ポンプを使っている。
抽出空気の水分除去は水分の吸湿材、水のボトルを通す、パイプの途中に小型の水タンクをつける、外気挿入用のファンを用いる。等が実施されている。
【０００３】
今回リニアモーターを使ったピストンタイプ真空ポンプを使用することで乾燥のための付属部品を簡素化し、カードタイマーと連動させるため、電子コントローラを開発した。
【特許文献１】特開２００２−１１９５９４号広報
【考案の開示】
【考案が解決しようとする課題】
【０００４】
解決しようとする問題点は運転終了後、抽出空気の水分が真空ポンプ内に結露し、錆びの原因となることを防ぐ目的である。
運転状態中は真空ポンプが高温となり水滴はつきにくい、又発生している水分も水のボトルを通すことで大方除去される。
業務用を目的としており、長時間の連続運転、お風呂などの高湿度環境での使用も考え
さらに大容量の装置では従来の水分除去法では十分な対策が出来ない。
【課題を解決するための手段】
【０００５】
本考案は図１の酸素富化膜１より真空ポンプ３につながるパイプの途中に電磁弁２を設置し、コントローラ１１によってカードタイマーがOFFとなったとき2分間真空ポンプを再起動しさらに、電磁弁を開くことで外気を真空ポンプに導入し真空ポンプの熱を利用しポンプ内部の乾燥を実行する。
カードタイマーがOFFでの運転再起動は前例がなく、制御用コントローラの独自開発が
必要であった。
【考案の効果】
【０００６】
レンタル用の酸素濃縮器として、業界最小を実現し、筐体設計も真空ポンプを装置の最深部に設置しさらに筐体の重量を重くしたことで、静音、低振動が実現できた。
電磁弁とコントローラ、コントローラ用DC電源の追加により今後表示用LEDの追加等でも設計の柔軟性がアップできた。
【考案を実施するための最良の形態】
【０００７】
図２のカードタイマーにカードを入れると装置の電源がONになる。
図１のAより外気を取り込む。酸素富化膜１を通過した空気は真空ポンプ設置空間Bを通過時真空ポンプの冷却を行う。
ファンモータ４を通過後マイナスイオン発生器５を通過し出口１４より排出される。
カードタイマーがOFFになると真空ポンプ３とファンモータ４が止まる。
その後電子コントローラがタイマーOFFを感知し電磁弁２をONとし、外気を導入、真空ポンプとファンモータを再起動する。２分動作後全ての電源をOFFとする。
酸素富化膜１より抽出した空気はリニア真空ポンプ３を通り水のボトル６に空気が送られる。
【産業上の利用可能性】
【０００８】
業務ようとして、美理容店、ホテル、マッサージ業界等での幅広い活用。
この乾燥工程の実現により、さらに大流量の装置開発が簡便に行える。
この装置の大流量４L毎分を利用し、過飽和酸素水を短時間で作ることができる。
この乾燥方法はさらに大きな室外機型２０L毎分以上の酸素濃縮器にも活用できる。
その場合30分に1回ないしは60分に一度の乾燥運転が必要となる。
【図面の簡単な説明】
【０００９】
【図１】酸素濃縮器の横断面図。
【図２】酸素濃縮器の正面図。
【図３】過飽和酸素水発生ノズルの図
【符号の説明】
【００１０】
１酸素富化膜ユニット
２プランジャー
３リニア真空ポンプ
４ファンモータ
５マイナスイオン発生器
６水ボトル
７L字チューブ
８水ボトル挿入口
９タイマー
１０電源SW
１１コントローラ